(57)【特許請求の範囲】
【請求項１】
少なくともヒップ部をカバーし、股部を有する衣類であって、ヒップの膨らみの頂点を避けて比較的細幅になっていて臀部の後中心に沿って少なくともウェスト近傍から臀裂部を経てクロッチ部までカバーし後中心で接ぎ合わされている左右２枚の後中心身頃（１、１´）が、ヒップの膨らみの頂点をカバーし且つヒップの主要部分をカバーしている少なくとも横方向に伸縮性を有する身頃（２、２´）に接ぎ合わされており、前記後中心身頃（１、１´）は、左右２枚のそれぞれの縫製前の形状が、前記身頃（２、２´）と接ぎ合わされる側の縁のラインの形状がほぼ直線状であり且つこのラインに沿った方向に伸びがないかまたは伸びが少なく、後中心側の縁のラインの形状が後中心側に向かって凹状の曲線ラインであり、前記前記身頃（２、２´）は、その縫製前の臀部近傍の後中心側の縁のラインの形状が後中心側に向かって凸状の曲線ラインであり、少なくとも臀裂近傍において左右の前記後中心身頃（１、１´）は後中心を頂点としてその断面形状が人体肌側に向かって凸の略逆Ｖ字状の立体形状を有することを特徴とするヒップ形状を整える衣類。
【請求項２】
前記後中心身頃（１、１´）と前記身頃（２、２´）との接ぎラインに沿ってヒップの膨らみの頂点よりほぼ下側の前記身頃（２、２´）の部分にギャザーが設けられている請求項１に記載のヒップ形状を整える衣類。
【請求項３】
左右２枚の前記後中心身頃（１、１´）が、そのそれぞれの縫製前の形状の後中心側の縁のラインの形状が後中心側に向かって凹状の曲線ラインであって、特に臀裂近傍の曲率が大きい後中心身頃である請求項１または２のいずれかに記載のヒップ形状を整える衣類。
【請求項４】
ヒップの膨らみの頂点を避けて、ヒップ部外側周囲にヒップアップ用の当て布が設けられてなる請求項１〜３のいずれかに記載のヒップ形状を整える衣類。
【請求項５】
前記身頃（２、２´）の少なくともヒップの膨らみの頂点をカバーし且つヒップの主要部分をカバーしている部分が、縦、横両方向に伸縮性のあるツーウェイ編地である請求項１〜４のいずれかに記載のヒップ形状を整える衣類。
【請求項６】
縦横両方向に伸縮性のあるツーウェイ編地がツーウェイラッセル編地である請求項５に記載のヒップ形状を整える衣類。
【請求項７】
腹部をカバーする衣類本体布の前部中央身頃、または、この部分に当て布として用いられる腹部押さえ布が、伸びがほとんどない布か、または、緊迫力の強い伸縮性の布からなる請求項１〜６のいずれかに記載のヒップ形状を整える衣類。
【請求項８】
衣類が、ガードル、ショーツ、スパッツ、ボディスーツ、水着、レオタードから選ばれた衣類である請求項１〜７のいずれかに記載のヒップ形状を整える衣類。
【発明の詳細な説明】
【０００１】
【発明の属する技術分野】
本発明は、ヒップの形状を美しく整えるためのヒップ形状を整える衣類に関する。
【０００２】
【従来の技術】
従来よりガードル、ショーツ、スパッツ、ボディスーツ、水着、レオタードなどの少なくともヒップ部をカバーし、股部を有する衣類は、女性の少なくとも下半身の体型を美しく補整する機能を付したものなどが広く用いられている。そして特に人体後側では、ヒップの形状を美しく整えヒップ造型効果を付与する目的の衣類が広く普及している。その代表的な一例として、以下、ガードルを例に挙げて説明する。従来のガードルの代表的な典型的な一例を図９、図１０に示す。
【０００３】
図９は従来のガードルの前側から見た正面図であり、図１０はその後ろ側から見た背面図である。７１が後身頃、７２が脇身頃、７５が前部中央身頃、７６が腹部押さえ布、７７がクロッチ部、７８が前裾充当部片、７４が後中心の接ぎライン、７３が臀部の膨らみの頂点近傍を通る後身頃７１と脇身頃７２とのヒップ部接ぎライン（縫製ライン）を示している。このように従来のガードルの典型的な例としては、ヒップ部の膨らみの頂点近傍を通るヒップ部接ぎライン７３で切り替えることにより臀部の山の膨らみを出現させている。また、多くの場合には、ヒップアップ機能を付与するため、ガードル本体のヒップ部接ぎライン７３の下側の臀部回りを裏打ち布を当てがって二重構成としている。尚、この例では、脇身頃７２はヒップ部の脇側の一部と前脇側をカバーしており、また、前部中央身頃７５の表側には伸びがほとんどないか、緊迫力の強い伸縮性の布が当て布である腹部押さえ布７６が設けられている。この例では腹部押さえ布７６は、前部中央身頃７５の表側に設けられている例を示しているが、腹部押さえ布は、前部中央身頃７５の裏側に設けられている場合もある。
【０００４】
ところで、このような従来のガードルにおいては、ヒップ部接ぎライン７３が臀部の膨らみの頂点部近傍を通ることにより、このヒップ部接ぎライン７３で立体形状を付与し、ヒップの膨らみに対応させるようにしている。しかしこのヒップ部接ぎライン７３が臀部の膨らみの頂点部近傍を通るため、接ぎライン７３がガードルの上に重ねて着用したアウターウエアーにライン状に反映し、着用者の外観を低下させるなどの問題が発生する欠点がある。また、接ぎライン７３で立体形状を付与しようとするので、ヒップ部の膨らみの自然な美しい丸みが表現できないという問題もある。更には、後中心の臀裂を境にしてヒップ左右の２つの膨らみがきれいに表現されず、ヒップ部の後中心近傍をカバーしている布が臀裂部分で余り人体側に切れ込んで入り込んでこないので、極端な表現をすればヒップ左右の２つの膨らみの頂点部に接する平行な平面、すなわちヒップ左右の２つの膨らみの頂点部間に平板をのせたようになり、ヒップ左右の２つの膨らみの間の谷部が現れてこない。そのため、後中心の臀裂を境にしてヒップ左右の２つの膨らみがきれいに表現されないという問題がある。
【０００５】
この問題を解決するために、実開平６−５１２０４号に示されるように、また、図１１にそのガードルの正面図、図１２にその背面図、図１３にこのガードルを構成する各身頃の展開図を示したように、ガードルの後部において、臀部の膨らみの頂点部を避けるように後中心方向に細幅になっていて、伸びが少ないかまたは横方向に伸びがあるが縦方向にはほとんど伸びがない後中心身頃８０が、縦、横両方向に伸縮性のあるツーウェイ編地からなる脇身頃７２に縫製されているガードルが提案されている。尚、このガードルの図９〜図１０に示したガードルとほぼ同じ部分は同じ符号を付して詳細説明を省略した。尚、８１は後中心身頃８０と脇身頃７２との接ぎラインであり、８２はこの接ぎラインに沿って設けられたギャザーを示している。この図１１〜図１３に示したガードルにおいては、伸びが少ないかまたは横方向に伸びがあるが縦方向にはほとんど伸びがない後中心身頃８０がガードルのヒップ部が縦方向に伸びすぎてヒップ下がるのを防止し左右のヒップの膨らみの丸みを表現できるガードルであることが示されている。
しかし、かかるガードルにおいても、後中心身頃８０は、後中心で接ぎ合わされた左右２枚の布からなるものではなく、少なくとも縦方向に伸びのない１枚の布を用いている。従って、図１３の後中心身頃８０において、矢印８３−８４の方向には伸びが少ないが、現実の図１２で示した接ぎライン８１に沿った方向、すなわち、図１３の後中心身頃８０の矢印８５−８６の方向や矢印８７−８８の方向は現実の接ぎラインが後中心身頃８０の地の目のバイアス方向となり、伸びが出てしまうという問題があり、左右のヒップの膨らみの下がりを十分に防止するにはまだ不完全であると共に、接ぎラインの伸びにより皺が発生しやすいという問題がある。また後中心身頃８０自体は後中心で左右２枚の布が接ぎ合わされた立体裁断の技術が採用された布からなるのではなく一枚の偏平な布からなっているので、後中心身頃８０の断面形状はガードルに取り付けられた状態でもその断面はほぼ偏平であり、少なくとも臀裂近傍において後中心を頂点としてその断面形状が人体肌側に向かって凸の略逆Ｖ字状の立体形状を有するものではない。
【０００６】
【発明が解決しようとする課題】
本発明は、従来のこれらのヒップ形状を整える衣類の問題点を解決し、臀部後中心近傍で皺などの発生がなく、ヒップ左右の２つの膨らみの間の谷部がきれいにすっきりと現れ、ヒップ部の膨らみの自然な美しい丸みが表現でき、ヒップ部接ぎラインがアウターウエアーにライン状に反映するなどの問題が発生する恐れがなく桃の割れ目のように美しいすっきりしたヒップの形状に造型できる、少なくともヒップ部をカバーし、股部を有するヒップ形状を整える衣類を提供することを目的とする。
【０００７】
また、本発明の好ましい態様においては、上記目的に加えて更にヒップアップ機能を強化したヒップ形状を整える衣類を提供することを目的とする。また、本発明の更に別の好ましい態様においては、上記目的に加えて更に腹部の膨出を抑え、腹部形状を整える機能も加味したヒップ形状を整える衣類を提供することを目的とする。
【０００８】
【課題を解決するための手段】
（１）上記の課題を解決するために、本発明のヒップ形状を整える衣類は、少なくともヒップ部をカバーし、股部を有する衣類であって、ヒップの膨らみの頂点を避けて比較的細幅になっていて臀部の後中心に沿って少なくともウェスト近傍から臀裂部を経てクロッチ部までカバーし後中心で接ぎ合わされている左右２枚の後中心身頃（１、１´）が、ヒップの膨らみの頂点をカバーし且つヒップの主要部分をカバーしている少なくとも横方向に伸縮性を有する身頃（２、２´）に接ぎ合わされており、前記後中心身頃（１、１´）は、左右２枚のそれぞれの縫製前の形状が、前記身頃（２、２´）と接ぎ合わされる側の縁のラインの形状がほぼ直線状であり且つこのラインに沿った方向に伸びがないかまたは伸びが少なく、後中心側の縁のラインの形状が後中心側に向かって凹状の曲線ラインであり、前記身頃（２、２´）は、その縫製前の臀部近傍の後中心側の縁のラインの形状が後中心側に向かって凸状の曲線ラインであり、少なくとも臀裂近傍において左右の前記後中心身頃（１、１´）は後中心を頂点としてその断面形状が人体肌側に向かって凸の略逆Ｖ字状の立体形状を有することを特徴とする。
【０００９】
本発明のヒップ形状を整える衣類においては、後中心で接ぎ合わされている左右２枚の前記後中心身頃（１、１´）が、ヒップの膨らみの頂点をカバーし且つヒップの主要部分をカバーしている少なくとも横方向に伸縮性を有する前記身頃（２、２´）に接ぎ合わされており、前記後中心身頃（１、１´）は、前記身頃（２、２´）との接ぎラインに沿った方向に伸びがないかまたは伸びが少ないので、前記後中心身頃（１、１´）と前記身頃（２、２´）との接ぎライン部分での接ぎライン方向への伸びが止められ、前記後中心身頃（１、１´）と前記身頃（２、２´）との間に不自然な皺が発生することなく、ヒップの膨らみの頂点をカバーし且つヒップの主要部分をカバーしている少なくとも横方向に伸縮性を有する前記身頃（２、２´）がヒップの膨らみの自然な美しい丸みを造型し、前記接ぎライン方向に伸びの少ないまたは伸びのない前記後中心身頃（１、１´）により前記身頃（２、２´）でのヒップ部の膨らみが下がるのを防止すると共に、前記後中心身頃（１、１´）の伸びがないかまたは伸びの少ない方向に沿って前記身頃（２、２´）の縫製前の臀部近傍の後中心側の縁でその縁のラインの形状が後中心側に向かって凸状の曲線ラインを有する前記身頃（２、２´）が縫製されることによりヒップ左右の２つの膨らみの間の谷部がきれいに現れ、従って、ヒップの左右の２つの膨らみの自然な美しい丸みがより一層強調されると共に、ヒップ部接ぎラインがヒップの膨らみの頂点近傍を通っていないのでかかる接ぎラインがアウターウエアーにライン状に反映するなどの問題が発生する恐れがない。更に左右の前記後中心身頃（１、１´）のそれぞれの後中心側の縁のラインの形状が後中心側に向かって凹状の曲線ラインであり、かかる左右の前記後中心身頃（１、１´）が互いに前記後中心側の縁で接ぎ合わされてこの接ぎラインが後中心となるので、この左右の後中心身頃（１、１´）が互いに接ぎ合わされたときにその断面形状が、後中心を頂点として人体肌側に向かって凸の略逆Ｖ字状の立体形状を有する形に容易に仕上げることができ、臀部中央を立体的にすっきりと切れ込んだ形に仕上げることができるヒップ形状を整える衣類を提供できる。
【００１０】
前記、本発明のヒップ形状を整える衣類の好ましい態様は次の様である。
（２）前記後中心身頃（１、１´）と前記身頃（２、２´）との接ぎラインに沿ってヒップの膨らみの頂点よりほぼ下側の前記身頃（２、２´）の部分にギャザーが設けられている前記（１）項に記載のヒップ形状を整える衣類。
【００１１】
前記、本発明の好ましい態様に於いては、前記後中心身頃（１、１´）と前記身頃（２、２´）との接ぎラインに沿ってヒップの膨らみの頂点よりほぼ下側の前記身頃（２、２´）の部分にギャザーが設けられているので、左右２つのヒップの膨らみの丸みがより立体的に美しく表現でき好ましい。
【００１２】
（３）左右２枚の前記後中心身頃（１、１´）が、そのそれぞれの縫製前の形状の後中心側の縁のラインの形状が後中心側に向かって凹状の曲線ラインであって、特に臀裂近傍の曲率が大きい後中心身頃である前記（１）項または（２）項のいずれかに記載のヒップ形状を整える衣類。
【００１３】
この、本発明の好ましい態様に於いては、前記後中心身頃（１、１´）の縦方向に伸びがないかまたは伸びが少ない布を、その伸びがないかまたは伸びの少ない方向に沿って前記身頃（２、２´）の縫製前の臀部近傍の後中心側の縁でその縁のラインの形状が後中心側に向かって凸状の曲線ラインを有する前記身頃（２、２´）に縫製されることにより、この両者の接ぎラインに沿った方向には伸びが止められまたは伸びが抑制されるので、前記身頃（２、２´）でのヒップ部の膨らみが下がるのを防止すると共に、ヒップ左右の２つの膨らみの間の谷部がきれいに現れ、従って、ヒップの左右の２つの膨らみの自然な美しい丸みがより一層強調されると共に、左右２枚の前記後中心身頃（１、１´）が、そのそれぞれの後中心側の縁のラインの形状が後中心側に向かって凹状の曲線ラインであって特に臀裂近傍の曲率が大きい後中心身頃であり、かかる左右の前記後中心身頃（１、１´）が前記後中心側の縁で互いに接ぎ合わされてこの接ぎラインが後中心となるので、この後中心身頃（１、１´）の曲率が大きい部分ほど互いに接ぎ合わされたときにその断面形状が、後中心を頂点として人体肌側に向かってより角度の小さい凸の略逆Ｖ字状の立体形状を有する形に容易に仕上げることができ、臀部中央を立体的にすっきりと切れ込んだ形を容易に実現できるヒップ形状を整える衣類を提供でき好ましい。
【００１４】
（４）ヒップの膨らみの頂点を避けて、ヒップ部外側周囲にヒップアップ用の当て布が設けられてなる前記（１）項〜（３）項のいずれかに記載のヒップ形状を整える衣類。
【００１５】
かかる本発明の好ましい態様とすることにより、前記後中心身頃（１、１´）による前記身頃（２、２´）でのヒップ部の膨らみの下がりを防止する作用と共に、ヒップの膨らみの頂点を避けて、ヒップ部外側周囲にヒップアップ用の当て布が設けられていることにより、より一層ヒップを美しくアップでき、しかもヒップアップ用の当て布は、ヒップの膨らみの頂点を避けて、ヒップ部外側周囲に設けられているので、この当て布の縁のラインがアウターウエアーにライン状に反映するなどの問題が発生する恐れもなく好ましい。
【００１６】
（５）前記身頃（２、２´）の少なくともヒップの膨らみの頂点をカバーし且つヒップの主要部分をカバーしている部分が、縦横両方向に伸縮性のあるツーウェイ編地である前記（１）項〜（４）項のいずれかに記載のヒップ形状を整える衣類。
【００１７】
かかる本発明の好ましい態様に於いては、前記身頃（２、２´）の少なくともヒップの膨らみの頂点をカバーし且つヒップの主要部分をカバーしている部分が、縦横両方向に伸縮性のあるツーウェイ編地とすることにより、ヒップの左右の２つの丸みをより自然な美しい丸みに仕上げる事ができると共に、ヒップをカバーするこの部分がより運動追従性に優れているので、ヒップの動きに伴う裾のずれ上がりなどを防止でき好ましい。
【００１８】
（６）縦横両方向に伸縮性のあるツーウェイ編地がツーウェイラッセル編地である前記（５）項に記載のヒップ形状を整える衣類。
かかる本発明の好ましい態様に於いては、ツーウェイラッセル編地は衣類のヒップ部を適度の緊縮力で包み込むと共に、ヒップの左右の２つの自然な丸みをよりきれい実現できる、且つ、より運動追従性に優れているので、着崩れや裾のずれ上がりなどをより防止できる。
【００１９】
（７）腹部をカバーする衣類本体布の前部中央身頃、または、この部分に当て布として用いられる腹部押さえ布が、伸びがほとんどない布か、または、緊迫力の強い伸縮性の布からなる前記（１）項〜（６）項のいずれかに記載のヒップ形状を整える衣類。
【００２０】
かかる本発明の好ましい態様とすることにより、上記作用に加えて更に腹部の膨出を抑え、腹部形状を整える機能も加味したヒップ形状を整える衣類を提供することができ好ましい。
【００２１】
（８）衣類が、ガードル、ショーツ、スパッツ、ボディスーツ、水着、レオタードから選ばれた衣類である前記（１）項〜（７）項のいずれかに記載のヒップ形状を整える衣類。
【００２２】
かかる本発明の好ましい態様とすることにより、これらの衣類は、人体に直接接して着用されるか、あるいは、人体の肌側に近い位置にタイトに着用される衣類であるので、前述した機能が効率よく発揮され、人体のヒップの形状を容易に整える事ができ好ましい。
【００２３】
【発明の実施の形態】
本発明は、少なくともヒップ部をカバーし、股部を有する衣類でヒップ形状を整える機能を付与したい衣類に適用でき、具体的にはガードル、ショーツ、スパッツ、ボディスーツ、水着、レオタードなどが挙げられる。本発明の衣類はこれらの具体例に限定されるものではないが、特に上記に具体的に例示した衣類は肌に直接触れるか、肌に近い部分に着用され、あるいは比較的タイトに設計されている衣類であり、したがって衣類からの作用が効率良く人体に作用し、本発明のヒップ形状を整える機能が有効にに発揮され、ヒップの形を美しく整える機能が効率よく発揮される衣類であり好ましい。
【００２４】
以下、本発明の理解を容易にするために、図面を参照しながら、本発明の衣類の具体例を説明するが、本発明はこの具体例に限定されるものではない。図１は本発明の少なくともヒップ部をカバーし、股部を有し、ヒップ形状を整える衣類の一例のガードルの前側から見た斜視図、図２はその後側から見た斜視図、図３はこのガードルの主要構成部片の展開図である。尚、展開図に於いては縫い代を記載すると複雑になり理解しにくくなるので、縫い代は省略している。
【００２５】
１、１´はヒップの膨らみの頂点を避けて比較的細幅になっていて臀部の後中心に沿って少なくともウェスト近傍から臀裂部を経てクロッチ部までカバーし、後中心で接ぎ合わされている左右それぞれの後中心身頃を示す。前記後中心身頃１、１´の生地としては、図３の展開図に示されているように下記身頃（２、２´）と接ぎ合わされる側の縁のライン（Ａ−ＢないしＡ´−Ｂ´）の形状がほぼ直線状であり且つこのライン（Ａ−ＢないしＡ´−Ｂ´）に沿った方向に伸びがないかまたは伸びが少なく、後中心側の縁のライン（Ｄ−Ｅ−Ｆ−ＧないしＤ´−Ｅ´−Ｆ´−Ｇ´）の形状が後中心側に向かって凹状の曲線ラインであって特に臀裂近傍（Ｅ−ＦないしＥ´−Ｆ´）の曲率が大きくなっている。２、２´はヒップの膨らみの頂点をカバーし且つヒップの主要部分をカバーしている少なくとも横方向に伸縮性を有する身頃を示しており、この例では前記身頃２、２´の裏側にヒップの膨らみの頂点を避けて、ヒップ部外側周囲にヒップアップ用の当て布３、３´が裏打ちされている。７、７´の鎖線はヒップアップ用の当て布３、３´の上側の縁のラインを示したものである。ヒップアップ用の当て布３、３´は必ずしも必要ないが、存在した方が、ヒップアップ効果をより好適に発揮でき好ましい。特にこの様なヒップアップ用の当て布としては、弾性繊維を実質上含有していない少なくとも略その長手方向に伸縮性の布を用いることが特に好ましく、更に好ましくはその略長手方向の限界伸度が１２０％〜２５０％より好ましくは１５０％〜２２０％の布を用いることがより一層好ましい。
【００２６】
そして前記後中心身頃１、１´のＡ−ＢラインとＡ´−Ｂ´ラインが前記身頃２、２´のＨ−ＩラインとＨ´−Ｉ´ラインとにそれぞれ接ぎ合わされ、接ぎライン１２、１２´が形成される。前記後中心身頃１、１´はそのＡ−ＢラインとＡ´−Ｂ´ラインの形状がほぼ直線状であり且つこのラインに沿った方向に伸びがないかまたは伸びが少ない生地を用いているので、これらが前記身頃２、２´と縫合されて接ぎ合わされた場合でも、接ぎライン１２、１２´に沿った方向には伸びが止められまたは伸びが効果的に抑制されるので、前記後中心身頃１、１´でのヒップ部の膨らみが下がるのを防止すると共に、ヒップ左右の２つの膨らみの間の谷部がきれいに現れ、従って、ヒップの左右の２つの膨らみの自然な美しい丸みがより一層強調される。
【００２７】
尚、前記後中心身頃１、１´は後中心側のラインＤ−Ｅ−Ｆ−ＧとＤ´−Ｅ´−Ｆ´−Ｇ´のラインが相互に接ぎ合わされる。接ぎ合わされてできた接ぎラインが接ぎライン４であり、後中心線とほぼ一致する位置になる。図３の展開図に示されているように後中心側のライン（Ｄ−Ｅ−Ｆ−ＧないしＤ´−Ｅ´−Ｆ´−Ｇ´）の形状が後中心側に向かって凹状の曲線ラインであって特に臀裂近傍（Ｅ−ＦないしＥ´−Ｆ´）の曲率が大きくなっている。これを広げて相互に接ぎ合わせるので、この部分はその断面形状が、後中心を頂点として人体肌側に向かって凸の略逆Ｖ字状の立体形状を有する形になる。図２のＸ−Ｘ´断面の端面図を図４として示した。図４からも明らかなように、前記後中心身頃１、１´は後中心の接ぎライン４に於いて、上に凸の略逆Ｖ字状の立体形状を有する形になっていることがわかる。この後中心身頃１、１´の後中心側のライン（Ｄ−Ｅ−Ｆ−ＧないしＤ´−Ｅ´−Ｆ´−Ｇ´）の曲率が大きい部分ほど互いに接ぎ合わされたときにその断面形状が、後中心を頂点として人体肌側に向かってより角度の小さい凸の略逆Ｖ字状の立体形状を有する形に容易に形成できる。したがってこの例の場合では図３から判断してＥ−ＦとＥ´−Ｆ´のラインの曲率が大きいので、この部分が人体肌側に向かってより角度の小さい凸の略逆Ｖ字状の立体形状を有する形になる。一般に臀裂５の近傍に相当する部分に於いて角度の小さい凸の略逆Ｖ字状の立体形状を有する形にする事が好ましい。このように前記後中心身頃１、１´が互いに接ぎ合わされたときにその断面形状が、後中心を頂点として人体肌側に向かって凸の略逆Ｖ字状の立体形状を有する形に容易に仕上げることができ、臀部中央を立体的にすっきりと切れ込んだ形を容易に実現でき、美しいヒップ形状の優れた衣類が提供でき好ましい。尚、１ａ、１´ａで示した部分はクロッチとなる部分である。また、図１と図２で示した１１はウエストバンドであり、本発明の本質的な部分ではないので、図３の展開図に於いては図示を省略している。従って図３は単にガードルの構成部片の展開図とせずにガードルの“主要”構成部片の展開図としたのである。
【００２８】
前記後中心身頃１、１´を構成する布地は、前述したＡ−ＢならびにＡ´−Ｂ´ライン方向に伸びないか伸びの少ない布が用いられ、従ってそれと直角方向には伸縮性であってもよく非伸縮性であってもよい。特に限定するものではないが具体的にはポリウレタン繊維などの弾性繊維を含んだ交編縦編物、例えばサテン調スパンデックス編物やサテン調パワーネット編物が好ましい素材の代表例であり、サテン調スパンデックス編物が特に好ましい。
【００２９】
尚、図１〜３に示したガードルの場合には、ヒップの膨らみの頂点をカバーし且つヒップの主要部分をカバーしている少なくとも横方向に伸縮性を有する前記身頃２、２´は、後部から脇部までをカバーしており、接ぎライン１０、１０´で前部中央身頃８に縫製されて接ぎ合わされている。前部中央身頃８も特に限定するものではないが、少なくとも衣類横方向に伸縮性の布地を用いることが、ガードルを着用したり、脱いだりする場合に容易に横に広げて着脱できるので好ましい。しかも着用中は横方向の伸縮性により、身体にフィツトさせて着用できるので好ましい。もちろん縦横両方向に伸縮性のツーウェイストレッチ性の生地を用いてもよい。この点は前記身頃２、２´の生地についても同様である。この生地としては少なくとも衣類横方向に伸縮性を有する生地を用いる事が好ましいが、縦横両方向に伸縮性のあるツーウェイ編地を用いることがヒップの自然な丸みを出したり、裾のずり上がりを防止する上からもより好ましく、特に縦横両方向に非常に良く伸びる柔軟な伸縮性編地を用いることが好ましく、代表的にはツーウェイラッセル編地が最も好ましい。
【００３０】
また、この例では前記身頃２、２´と前部中央身頃８とが接ぎライン１０、１０´で接ぎ合わされている例を示しているが、接ぎライン１０、１０´は必ずしも必要でなく、身頃２、２´と前部中央身頃８とが接ぎラインのない一体の連続した身頃として用いてもよい。尚、図１〜３に示したガードルの具体例では前部中央身頃８の表側に少なくとも衣類横方向には伸縮性がないか伸縮性の小さい布または伸縮性ではあるが緊迫力の大きい布からなる腹部押さえ布９が設けられている。
【００３１】
また、前記後中心身頃１、１´はヒップの膨らみの頂点を避けて臀部の後中心に沿って比較的細幅になっていればよく従ってウエストやや下側付近から上に於いてはヒップの膨らみを避ける必要がなくなるので広幅になっていてもよい。
【００３２】
また、この例に於いては、前記後中心身頃１、１´と前記身頃２、２´との接ぎライン１２、１２´に沿ってヒップの膨らみの頂点よりほぼ下側の前記身頃２、２´部分にギャザー６、６´が設けられている。この様にギャザー６、６´が設けられる事により、左右２つのヒップをスッポリと包み、左右２つのヒップ膨らみの丸みがより立体的に美しく表現でき好ましい。
【００３３】
本発明の衣類を構成する各部分の構成材料で本発明の本質部分と余り関係のない部分の生地は、本発明の目的、作用効果を阻害しない限り、通常使用されている素材など任意の素材が採用できる。
【００３４】
通常、これらの生地としては、お腹おさえ機能が必要な場合の前部中央身頃の生地は通常少なくとも衣類横方向には伸びないか又は伸びの少ない生地や伸縮性ではあるが緊迫力の強い生地が用いられるか、前部中央身頃の生地として少なくとも衣類横方向に伸縮する生地を用いた場合には、その当て布として少なくとも衣類横方向には伸びないか又は伸びの少ない生地または緊迫力の強い生地が用いられる。お腹おさえ機能を必要としない場合には当て布を用いなくてもよいし、前部中央身頃の生地として少なくとも衣類横方向に伸縮性を有する生地を用いることが好ましい。そのほか、乳房カップの部分や、その他の部分についてはそれにふさわしい各種の生地が用いられているが、その他の主要部分の身頃を構成する生地は、ポリウレタンなどの弾性繊維を含有した少なくとも衣類横方向に伸縮性を有する生地が好ましく用いられる。こうすることにより、衣類の着脱時に衣類を容易に横方向に広げて着脱できるので着脱が容易であり、また、着用時は身体によくフィットし好ましい。
【００３５】
上述した様な少なくとも衣類横方向に伸縮性を有する生地は、衣類の種類や用いる部位によっても異なり、特に限定するものではないが、例えばポリウレタン繊維などの弾性繊維含有ラッセル編物であるポリウレタン繊維含有パワーネットや、ポリウレタン繊維などの弾性繊維含有トリコット編物であるポリウレタン繊維含有ツーウェイトリコット編物、あるいはポリウレタン繊維などの弾性繊維含有ベアー天竺、ポリウレタン繊維などの弾性繊維含有ストレッチレースなどが好ましく用いられる。パワーネットの種類としては例えばプレーンパワーネット、サテンパワーネット、ツーウェイラッセル、トリコネット、“トリスキン”（ト部株式会社の商標）などが挙げられる。
【００３６】
次に図５、図６を用いて本発明の少なくともヒップ部をカバーし、股部を有し、ヒップ形状を整える衣類の一例のロングタイプのガードルへの応用について説明する。図５はロングタイプのガードルの前側から見た斜視図、図６はその後側から見た斜視図である。図１〜３で説明したガードルに比べて脚部が長くなっただけで、本質的な部分は図１〜３で説明したガードルと実質的に同一の技術思想が適用されている。すなわちヒップの膨らみの頂点を避けて比較的細幅になっており臀部の後中心に沿って少なくともウェスト近傍から臀裂部を経てクロッチ部までカバーし後中心で接ぎ合わされている左右それぞれの後中心身頃１、１´の少なくともヒップの膨らみの頂点をカバーし且つヒップの主要部分をカバーしている少なくとも横方向に伸縮性を有する身頃２、２´への接ぎ構造などは実質的に図１〜３に示したガードルの場合と同様である。左右それぞれの前記後中心身頃１、１´の展開図も図３に示された展開図と本質的には同一であるし、臀裂近傍の断面の端面図の形も実質的に図４とほぼ同様となる。尚、図５、図６に於いては前記身頃２、２´が図１〜３の如く前記身頃２、２´と前部中央身頃８とが接ぎライン１０、１０´で接ぎ合わされているタイプではなく、いわば前記身頃２、２´と前部中央身頃８とが接ぎラインのない一体の連続した身頃として前部中央身頃も兼ねている場合の例を示した。この場合の接ぎラインは左右それぞれ通常太ももの内側に太もも長さ方向に沿って設けられ（図示せず）、筒状になって左右の脚部１８、１８´を形成すると同時に前中心ラインに沿って腹部中央で接ぎ合わされている。（この接ぎラインは腹部押さえ布９の裏側に隠れて見えないので、図示されていない。）。この身頃２、２´の生地についは図１〜３に示した例と同様に少なくとも衣類横方向に伸縮性を有する生地を用いる事が好ましいが、縦横両方向に伸縮性のあるツーウェイ編地を用いることがヒップの自然な丸みを出したり、裾のずり上がりを防止する上からもより好ましく、特に縦横両方向に非常に良く伸びる柔軟な伸縮性編地を用いることが好ましい。この例では図１〜３に示したガードルの例と同様に前記身頃２、２´の裏側にヒップの膨らみの頂点を避けて、ヒップ部外側周囲にヒップアップ用の当て布３、３´が裏打ちされている。７、７´の鎖線はヒップアップ用の当て布３、３´の上側の縁のライン、１７、１７´の鎖線はヒップアップ用の当て布３、３´の下側の縁のラインを示したものである。特にこの様なヒップアップ用の当て布としては、弾性繊維を実質上含有していない少なくとも略その長手方向に伸縮性の布を用いることが特に好ましく、更に好ましくはその略長手方向の限界伸度が１２０％〜２５０％より好ましくは１５０％〜２２０％の布を用いることがより一層好ましい。
【００３７】
また、この例に於いては、前記後中心身頃１、１´と前記身頃２、２´との接ぎライン１２、１２´に沿ってヒップの膨らみの頂点よりほぼ下側の前記身頃２、２´部分にギャザーが設けられていないが、ギャザーを設けてもよいことは前述した通りである。このロングタイプのガードルに於いても、後中心近傍で皺などの発生がなく、ヒップ左右の２つの膨らみの間の谷部がきれいにすっきりと現れ、ヒップ部の膨らみの自然な美しい丸みが表現でき、ヒップ部接ぎラインがアウターウエアーにライン状に反映するなどの問題が発生する恐れがなく桃の割れ目のように美しいすっきりしたヒップの形状に造型できるヒップ形状を整える衣類を提供することができる。
【００３８】
次に図７、図８を用いて本発明の少なくともヒップ部をカバーし、股部を有し、ヒップ形状を整える衣類の一例のボディスーツへの応用について説明する。図７はボディスーツの前側から見た斜視図、図８はその後側から見た斜視図である。いずれも本質的ではない部分は一部の図示を省略している。図１〜３で説明したガードルに比べて上半身部が上に延長して設けられているだけで、本質的な部分は図１〜３で説明したガードルと実質的に同一の技術思想が適用されている。すなわちこのボディスーツに於いては、ヒップの膨らみの頂点を避けて比較的細幅になっており臀部の後中心に沿って少なくともウェスト近傍から臀裂部を経てクロッチ部までカバーし、後中心で接ぎ合わされている左右それぞれの後中心身頃１、１´が更にウェストより上部に広がって背中部３０、３０´を形成する身頃と一体となっているが、ウェスト近傍から下の部分は図１〜３に示した前記後中心身頃１、１´と本質的に同様である。また少なくともヒップの膨らみの頂点をカバーし且つヒップの主要部分をカバーしている少なくとも横方向に伸縮性を有する身頃２、２´への接ぎ構造などは実質的に図１〜３に示したガードルの場合と同様である。左右それぞれの前記後中心身頃１、１´の臀裂近傍の断面の端面図の形も実質的に図４とほぼ同様となる。尚、図１〜図３に於いては前記身頃２、２´がやや前側の脇まで伸びていたが、図７〜図８の場合には前記身頃２、２´は余り前側まで伸びておらず脇をカバーする程度である点が異なるが、ヒップの膨らみの頂点をカバーし且つヒップの主要部分をカバーしている少なくとも横方向に伸縮性を有する身頃であることは本質的に同様である。そして図７〜図８のボディスーツの場合の前部中央身頃８は、図１〜図３のガードルの前部中央身頃８に比べてより広く前部ほぼ全体をカバーし、乳房カップ部２０、２０´の下に達するところまで広くカバーしており、また、この例では腹部押さえ布が設けられていない点が異なるが、腹部押さえ布が設けられていてもよいことは前述の通りである。
【００３９】
この身頃２、２´の生地についは図１〜３に示した例と同様に少なくとも衣類横方向に伸縮性を有する生地を用いる事が好ましいが、縦横両方向に伸縮性のあるツーウェイ編地を用いることがヒップの自然な丸みを出したり、裾のずり上がりを防止する上からもより好ましく、特に縦横両方向に非常に良く伸びる柔軟な伸縮性編地を用いることが好ましい。この例では図１〜３に示したガードルの例と同様に前記身頃２、２´の裏側にヒップの膨らみの頂点を避けて、ヒップ部外側周囲にヒップアップ用の当て布３、３´が裏打ちされている。７、７´の鎖線はヒップアップ用の当て布３、３´の上側の縁のラインを示したものである。特にこの様なヒップアップ用の当て布としては、弾性繊維を実質上含有していない少なくとも略その長手方向に伸縮性の布を用いることが特に好ましく、更に好ましくはその略長手方向の限界伸度が１２０％〜２５０％より好ましくは１５０％〜２２０％の布を用いることがより一層好ましい。
【００４０】
また、このボディスーツの例に於いては、図１〜２に示したガードルと同様に、前記後中心身頃１、１´と前記身頃２、２´との接ぎライン１２、１２´に沿ってヒップの膨らみの頂点よりほぼ下側の前記身頃２、２´部分にギャザー６、６´が設けられている。尚、図７〜８に於いて３１、３１´はストラップ（肩紐）を示している。
【００４１】
このボディスーツに於いても、臀部の後中心近傍で皺などの発生がなく、ヒップ左右の２つの膨らみの間の谷部がきれいにすっきりと現れ、ヒップ部の膨らみの自然な美しい丸みが表現でき、ヒップ部接ぎラインがアウターウエアーにライン状に反映するなどの問題が発生する恐れがなく桃の割れ目のように美しいすっきりしたヒップの形状に造型できるヒップ形状を整える衣類を提供することができる。
【００４２】
本発明のヒップ形状を整える衣類においては、前述した様にヒップアップ用の当て布を設けることが好ましく、特にこの様なヒップアップ用の当て布としては、弾性繊維を実質上含有していない少なくとも略その長手方向に伸縮性の布を用いることが特に好ましく、更に好ましくはその略長手方向の限界伸度が１２０％〜２５０％より好ましくは１５０％〜２２０％の布を用いることがより一層好ましい。
【００４３】
ヒップアップ用の当て布として、前述した様な弾性繊維を実質上含有していない少なくとも略その長手方向に伸縮性の布からなっている場合には、当て布は衣類本体生地の伸縮性の布によるヒップアップ機能を補助しサポートするが、弾性繊維を実質上含有していないので緊締力が強すぎることがなく、従って人体の動きにも容易に追従しやすく、適度の伸縮パワーを有するので型崩れを生じにくく、抵抗感や窮屈感が小さく着用感が良好で、しかも容易に伸ばす事が出来るので着用時は容易に着用することができる。そして、好ましくは、その略長手方向の限界伸度が１２０％〜２５０％より好ましくは１５０％〜２２０％の布を用いることが、衣類の脱着時に無理なく伸ばして脱着できるので衣類の脱着が容易で、しかも着用状態に於いてほど良い伸縮パワーが発現されるので、抵抗感や窮屈感が小さく従って着用感が良好で、人体の動きにも容易に追従しやすく、型崩れを生じにくいなどの点が好適に発揮されより好ましい。また、前記当て布は好ましくは、その両端と上側の縁は衣類本体生地に縫製されているが、その下側の縁が衣類本体生地に縫製されていないかまたはその下側の縁は衣類本体生地の裾端を折り返した折り返し部のみに縫製されている構造を有することが好ましく、かかる態様とすることにより、当て布の下側の縁がかなりの自由度を持つことになるので、当て布の全周囲が本体生地にしっかりと縫製により固定されている場合に比べて、着用時に本体生地との伸度差などにより歪みが生じやすい点を緩和でき、本体生地に皺などが生じる恐れがなく着用時の外観もより良好に保持できるヒップアップ機能を有する衣類を提供できる。更に、この態様の場合においても前記当て布は少なくともその両端と上側の縁は本体生地に縫製されているので、当て布の上側の縁と下側の縁を本体生地に縫製せずに両端部のみ縫製して取り付けたタイプに比べて着用時に当て布が捩れたり、所定の位置からずれたりする恐れがなく着用が容易なヒップアップ機能を有する衣類を提供し得るので好ましい。
前述の略帯状で弾性繊維を実質上含有しておらず、その少なくとも略長手方向に伸縮性を有する本発明で用いるに好ましいヒップアップ用の当て布は、弾性繊維を実質上含有していないので、編組織または織組織によって生地の伸縮性を付与している編物あるいは織物が用いられる。弾性繊維を含有している伸縮性の編物または織物は、少なくとも弾性繊維の素材自体の伸縮性をかなり利用しているので、本体生地と当て布の両方に用いると伸縮パワーはかなり強くなるが、上記好ましい当て布は、弾性繊維を実質上含有しておらず、編組織または織組織によって生地の伸縮性を付与しているので、その組織が伸びきるまでは比較的抵抗感が少なく容易に伸びる。かかる編物や織物の特色として編組織または織組織によって伸縮性を付与しているので、編組織または織組織が伸びきると、突然それ以上は伸びなくなる性質を有している。このように伸びなくなるまでの限度一杯の伸度を限界伸度と称している。したがって本発明で上述したかかる当て布は、限界伸度に達するまでは抵抗感が少なく容易に伸びるが限界伸度に達した時点でそれ以上伸びなくなる性質を有している。したがってこの様な当て布では、その限界伸度に達する前の状態の伸縮性を活用していることになる。ここで少なくとも略長手方向に伸縮性とは、少なくとも略長手方向に伸縮性を有していれば他の方向にも伸縮性を有していてもいなくてもよいと言う意味であり、また、弾性繊維を実質上含有していないとは、弾性繊維の本来有する素材の伸縮性を利用出来る程度には弾性繊維が含有されていないという事であり、通常は弾性繊維が全く含まれていない伸縮性の布を用いるが、弾性繊維の本来有する素材の伸縮性が発揮されるほどでなく、弾性繊維を含有していない布とほぼ同等程度の挙動を示す範囲までは弾性繊維が少量含まれていても実質上弾性繊維を含んでいない布と同等程度に扱えるので差支えないという意味である。
【００４４】
この様な当て布として用いる限界伸度を有する生地の素材としては特に限定するものではないが、例えばポリエステル繊維、ポリアミド繊維、ポリプロピレン繊維、アクリル繊維、ポリ塩化ビニリデン繊維、ビニロン繊維、木綿その他の各種天然繊維など、その他繊維自体に大きな弾性を持たない各種の繊維から製造される少なくとも一方向に伸縮性の編物または織物が挙げられ、具体的には弾性繊維を実質上含有していないトリコット、チュールネット、ダブルトリコット、スムース（丸編の一種）などの編物が好ましい当て布である。
【００４５】
限界伸度が１２０％〜２５０％とは、当該当て布に応力をかけていない状態での当該当て布の長さ（原長Ａ）に対し、当該当て布に応力をかけて伸ばし、当該当て布が限界伸度に達した時の長さ（伸長時長さＢ）が、原長Ａの１２０％〜２５０％になることを意味している。数式で示すと、限界伸度％＝（Ｂ／Ａ）×１００で示される。
【００４６】
限界伸度を有する生地かどうかは、伸ばす目的方向にその生地を引張り、ある長さまでは容易に伸ばすことができるが、ある長さに達すると突然伸ばすことができなくなるので、容易に調べることができる。
【００４７】
限界伸度の測定方法としては、試験片を幅５ｃｍ、周の長さ２０ｃｍの輪状に縫製（２本針オーバーの縫製法、縫製幅：５ｍｍ幅、縫製した運針数：２０針）し、輪状試験片の周囲のある１点（Ｘ）とそれと直径方向反対側の点（Ｙ）の両端で折り畳んで半分の長さ１０ｃｍの２重の試験片にする。インストロン型定速伸長型引張試験機（島津製作所製“オートグラフ”ＡＧ−５００Ｄ）を用い、その試験片装着のための試験片引っ張り用の治具棒に取り付け（試験片の輪の中に２本の引っ張り用の治具棒を差し込んでＸ点とＹ点で輪を引っ掛けて治具棒をそれぞれ反対向きに引っ張る）、引張り速度３０±２ｃｍ／ｍｉｎにて引張試験機を操作し、伸びが限界に達するまで荷重をかけて、限界伸度を測定する。
【００４８】
【発明の効果】
（１）本発明のヒップ形状を整える衣類においては、後中心で接ぎ合わされている左右２枚の後中心身頃（１、１´）が、ヒップの膨らみの頂点をカバーし且つヒップの主要部分をカバーしている少なくとも横方向に伸縮性を有する身頃（２、２´）に接ぎ合わされており、前記後中心身頃（１、１´）は、前記身頃（２、２´）との接ぎラインに沿った方向に伸びがないかまたは伸びが少ないので、前記後中心身頃（１、１´）と前記身頃（２、２´）との接ぎライン部分での接ぎライン方向への伸びが止められ、前記後中心身頃（１、１´）と前記身頃（２、２´）との間に不自然な皺が発生することなく、ヒップの膨らみの頂点をカバーし且つヒップの主要部分をカバーしている少なくとも横方向に伸縮性を有する前記身頃（２、２´）がヒップの膨らみの自然な美しい丸みを造型し、前記接ぎライン方向に伸びの少ないまたは伸びのない前記後中心身頃（１、１´）により前記身頃（２、２´）でのヒップ部の膨らみが下がるのを防止すると共に、前記後中心身頃（１、１´）の伸びがないかまたは伸びの少ない方向に沿って前記身頃（２、２´）の縫製前の臀部近傍の後中心側の縁でその縁のラインの形状が後中心側に向かって凸状の曲線ラインを有する前記身頃（２、２´）が縫製されることによりヒップ左右の２つの膨らみの間の谷部がきれいに現れ、従って、ヒップの左右の２つの膨らみの自然な美しい丸みがより一層強調されると共に、ヒップ部接ぎラインがヒップの膨らみの頂点近傍を通っていないのでかかる接ぎラインがアウターウエアーにライン状に反映するなどの問題が発生する恐れがない。更に左右２枚の前記後中心身頃（１、１´）のそれぞれの縫製前の後中心側の縁のラインの形状が後中心側に向かって凹状の曲線ラインであり、かかる左右の後中心身頃（１、１´）が前記後中心側の縁で互いに接ぎ合わされてこの接ぎラインが後中心となるので、この左右の後中心身頃（１、１´）が互いに接ぎ合わされたときにその断面形状が、後中心を頂点として人体肌側に向かって凸の略逆Ｖ字状の立体形状を有する形に容易に仕上げることができ、臀部中央を立体的にすっきりと切れ込んだ形に仕上げることができるヒップ形状を整える衣類を提供できる。
【００４９】
（２）また、本発明のヒップ形状を整える衣類に於いて、前記後中心身頃（１、１´）と前記身頃（２、２´）との接ぎラインに沿ってヒップの膨らみの頂点よりほぼ下側の前記身頃（２、２´）の部分にギャザーが設けられている本発明の好ましい態様とすることにより、前記後中心身頃（１、１´）と前記身頃（２、２´）との接ぎラインに沿ってヒップの膨らみの頂点よりほぼ下側の前記身頃（２、２´）の部分にギャザーが設けられているので、左右２つのヒップの膨らみの丸みがより立体的に美しく表現できるヒップ形状を整える衣類を提供でき好ましい。
【００５０】
（３）また、本発明のヒップ形状を整える衣類に於いて、左右２枚の前記後中心身頃（１、１´）が、そのそれぞれの縫製前の形状の後中心側の縁のラインの形状が後中心側に向かって凹状の曲線ラインであって、特に臀裂近傍の曲率が大きい後中心身頃である本発明の好ましい態様とすることにより、前記後中心身頃（１、１´）の縦方向に伸びがないかまたは伸びが少ない布を、その伸びがないかまたは伸びの少ない方向に沿って前記身頃（２、２´）の縫製前の臀部近傍の後中心側の縁でその縁のラインの形状が後中心側に向かって凸状の曲線ラインを有する前記身頃（２、２´）に縫製されることにより、この両者の接ぎラインに沿った方向には伸びが止められまたは伸びが抑制されるので、前記身頃（２、２´）でのヒップ部の膨らみが下がるのを防止すると共に、ヒップ左右の２つの膨らみの間の谷部がきれいに現れ、従って、ヒップの左右の２つの膨らみの自然な美しい丸みがより一層強調されると共に、左右２枚の前記後中心身頃（１、１´）が、そのそれぞれの縫製前の後中心側の縁のラインの形状が後中心側に向かって凹状の曲線ラインであって特に臀裂近傍の曲率が大きい後中心身頃であり、かかる左右の後中心身頃（１、１´）が前記後中心側の縁で互いに接ぎ合わされてこの接ぎラインが後中心となるので、この後中心身頃（１、１´）の曲率が大きい部分ほど互いに接ぎ合わされたときにその断面形状が、後中心を頂点として人体肌側に向かってより角度の小さい凸の略逆Ｖ字状の立体形状を有する形に容易に仕上げることができ、臀部中央を立体的にすっきりと切れ込んだ形を容易に実現できるヒップ形状を整える衣類を提供でき好ましい。
【００５１】
（４）また、本発明のヒップ形状を整える衣類に於いて、ヒップの膨らみの頂点を避けて、ヒップ部外側周囲にヒップアップ用の当て布が設けられてなる本発明の好ましい態様とすることにより、前記後中心身頃（１、１´）による前記身頃（２、２´）でのヒップ部の膨らみの下がりを防止する作用と共に、ヒップの膨らみの頂点を避けて、ヒップ部外側周囲にヒップアップ用の当て布が設けられていることにより、より一層ヒップを美しくアップでき、しかもヒップアップ用の当て布は、ヒップの膨らみの頂点を避けて、ヒップ部外側周囲に設けられているので、この当て布の縁のラインがアウターウエアーにライン状に反映するなどの問題が発生する恐れもなく好ましい。
【００５２】
（５）また、本発明のヒップ形状を整える衣類に於いて、前記身頃（２、２´）の少なくともヒップの膨らみの頂点をカバーし且つヒップの主要部分をカバーしている部分が縦横両方向に伸縮性のあるツーウェイ編地である本発明の好ましい態様とすることにより、ヒップの左右の２つの丸みをより自然な美しい丸みに仕上げる事ができると共に、ヒップをカバーするこの部分がより運動追従性に優れているので、ヒップの動きに伴う裾のずれ上がりなどを防止でき好ましい。
【００５３】
（６）また、本発明のヒップ形状を整える衣類に於いて、縦横両方向に伸縮性のあるツーウェイ編地がツーウェイラッセル編地である本発明の好ましい態様とすることにより、ツーウェイラッセル編地は衣類のヒップ部を適度の緊縮力で包み込むと共に、ヒップの左右の２つの自然な丸みをよりきれい実現でき、且つ、より運動追従性に優れているので、着崩れや裾のずれ上がりなどをより防止でき好ましい。
【００５４】
（７）また、本発明のヒップ形状を整える衣類に於いて、腹部をカバーする衣類本体布の前部中央身頃、または、この部分に当て布として用いられる腹部押さえ布が、伸びがほとんどない布か、または、緊迫力の強い伸縮性の布からなる本発明の好ましい態様とすることにより、上記作用に加えて更に腹部の膨出を抑え、腹部形状を整える機能も加味したヒップ形状を整える衣類を提供することができ好ましい。
【００５５】
（８）また、本発明のヒップ形状を整える衣類に於いて、衣類が、ガードル、ショーツ、スパッツ、ボディスーツ、水着、レオタードから選ばれた衣類である本発明の好ましい態様とすることにより、これらの衣類は、人体に直接接して着用されるか、あるいは、人体の肌側に近い位置にタイトに着用される衣類であるので、前述した機能が効率よく発揮され、人体のヒップの形状を容易に整える事ができ好ましい。
【図面の簡単な説明】
【図１】本発明のヒップ形状を整える衣類の一例のガードルの前側から見た斜視図。
【図２】図１に示したガードルの後側から見た斜視図。
【図３】図１〜図２に示したガードルの主要構成部片の展開図。
【図４】図２のＸ−Ｘ´断面の端面図。
【図５】本発明のヒップ形状を整える衣類の一例のロングタイプのガードルの前側から見た斜視図。
【図６】図５に示したロングタイプのガードルの後側から見た斜視図。
【図７】本発明のヒップ形状を整える衣類の一例のボディスーツの前側から見た斜視図。
【図８】図７に示したボディスーツの後側から見た斜視図。
【図９】従来のガードルの前側から見た正面図。
【図１０】図９に示した従来のガードルの後ろ側から見た背面図。
【図１１】別の従来のガードルの前側から見た正面図。
【図１２】図１１に示した従来のガードルの後ろ側から見た背面図。
【図１３】図１１、図１２に示した従来のガードルを構成する各身頃の展開図。
【符号の説明】
１、１´  後中心身頃
１ａ、１´ａ  後中心身頃（１、１´）のクロッチ部分
２、２´  ヒップの膨らみの頂点をカバーし且つヒップの主要部分をカバーしている少なくとも横方向に伸縮性を有する身頃
３、３´  ヒップアップ用の当て布
４  後中心の接ぎライン
５  臀裂
６、６´  ギャザー
７、７´  ヒップアップ用の当て布３、３´の上側の縁のライン
８  前部中央身頃
９  腹部押さえ布
１０、１０´  接ぎライン
１１  ウエストバンド
１２、１２´  接ぎライン
１７、１７´  ヒップアップ用の当て布３、３´の下側の縁のライン
１８、１８´  脚部
２０、２０´  乳房カップ部
３０、３０´  背中部
３１、３１´  ストラップ（肩紐）
７１  後身頃
７２  脇身頃
７３  後身頃７１と脇身頃７２とのヒップ部接ぎライン
７４  後中心の接ぎライン
７５  前部中央身頃
７６  腹部押さえ布
７７  クロッチ部
７８  前裾充当部片
８０  後中心身頃
８１  後中心身頃８０と脇身頃７２との接ぎライン
８２  ギャザー
８３−８４  矢印
８５−８６  矢印
８７−８８  矢印
【図１】
0003582685.tif 000002
【図２】
0003582685.tif 000003
【図３】
0003582685.tif 000004
【図４】
0003582685.tif 000005
【図５】
0003582685.tif 000006
【図６】
0003582685.tif 000007
【図７】
0003582685.tif 000008
【図８】
0003582685.tif 000009
【図９】
0003582685.tif 000010
【図１０】
0003582685.tif 000011
【図１１】
0003582685.tif 000012
【図１２】
0003582685.tif 000013
【図１３】
0003582685.tif 000014